(57)【要約】【課題】作業者の経験によらずに電話線の故障位置を推定し、故障位置推定に要する時間を短縮する。【解決手段】故障位置推定装置は、設備データベース１から回線情報を取得する回線情報取得部６と、設備データベース１から線路情報を取得する線路情報取得部７と、線路情報からケーブルおよび接続端子函の接続情報を取得し、回線情報から各接続端子函での心線の使用状況を把握して、各接続端子函での心線の使用状況を示す回線状況把握表を作成する回線状況把握表作成部９と、回線状況把握表の情報を基に心線の使用状況毎の数と収容心線数とを接続端子函毎に集計し、この集計結果から各接続端子函のスコアを算出するスコア算出部１０と、スコア算出部１０が算出したスコアを基に電話線の故障位置を推定する故障位置推定部１１とを備える。【選択図】  図４
2013251832.tif 000002
【特許請求の範囲】
【請求項１】
設備データベースから回線情報を取得する回線情報取得手段と、
前記設備データベースから線路情報を取得する線路情報取得手段と、
前記線路情報からケーブルおよび接続端子函の接続情報を取得し、前記回線情報から各接続端子函での心線の使用状況を把握して、各接続端子函での心線の使用状況を示す回線状況把握表を作成する回線状況把握表作成手段と、
前記回線状況把握表の情報を基に心線の使用状況毎の数と収容心線数とを接続端子函毎に集計し、この集計結果から各接続端子函のスコアを算出するスコア算出手段と、
このスコア算出手段が算出したスコアを基に電話線の故障位置を推定する故障位置推定手段とを備えることを特徴とする故障位置推定装置。
【請求項２】
請求項１記載の故障位置推定装置において、
さらに、前記線路情報を基に、ケーブルおよび接続端子函の配置を示す線路図を作成する線路図作成手段を備えることを特徴とする故障位置推定装置。
【請求項３】
設備データベースから回線情報を取得する回線情報取得ステップと、
前記設備データベースから線路情報を取得する線路情報取得ステップと、
前記線路情報からケーブルおよび接続端子函の接続情報を取得し、前記回線情報から各接続端子函での心線の使用状況を把握して、各接続端子函での心線の使用状況を示す回線状況把握表を作成する回線状況把握表作成ステップと、
前記回線状況把握表の情報を基に心線の使用状況毎の数と収容心線数とを接続端子函毎に集計し、この集計結果から各接続端子函のスコアを算出するスコア算出ステップと、
このスコア算出ステップで算出したスコアを基に電話線の故障位置を推定する故障位置推定ステップとを備えることを特徴とする故障位置推定方法。
【請求項４】
請求項３記載の故障位置推定方法において、
さらに、前記線路情報を基に、ケーブルおよび接続端子函の配置を示す線路図を作成する線路図作成ステップを備えることを特徴とする故障位置推定方法。
【請求項５】
設備データベースから回線情報を取得する回線情報取得ステップと、
前記設備データベースから線路情報を取得する線路情報取得ステップと、
前記線路情報からケーブルおよび接続端子函の接続情報を取得し、前記回線情報から各接続端子函での心線の使用状況を把握して、各接続端子函での心線の使用状況を示す回線状況把握表を作成する回線状況把握表作成ステップと、
前記回線状況把握表の情報を基に心線の使用状況毎の数と収容心線数とを接続端子函毎に集計し、この集計結果から各接続端子函のスコアを算出するスコア算出ステップと、
このスコア算出ステップで算出したスコアを基に電話線の故障位置を推定する故障位置推定ステップとを、コンピュータに実行させることを特徴とする故障位置推定プログラム。
【発明の詳細な説明】
【技術分野】
【０００１】
本発明は、設備データベースを基に、電話線における故障位置を推定する故障位置推定装置、故障位置推定方法およびプログラムに関するものである。
【背景技術】
【０００２】
電話線の故障位置の特定方法として、「切り分け法」、「パルス法」、「ブリッジ法」が用いられてきた。いずれの方法も作業者が故障位置探索装置を携帯し、作業者が上部方向部、下部方向部の心線切り分け試験を数回にわたり行い、故障位置を特定するものである（特許文献１参照）。
【先行技術文献】
【特許文献】
【０００３】
【特許文献１】特開平５−６０８２３号公報
【発明の概要】
【発明が解決しようとする課題】
【０００４】
しかしながら、従来の故障位置特定方法では、最終的に故障位置の特定はできるものの、故障位置を特定するまでには作業者が数回にわたって電柱へ登り降りする必要があるため、時間がかかっていた。これは、最初の調査対象の電柱が作業者の経験にゆだねられているために起こる問題である。そのため、最初に作業すべき電柱の選定が重要となる。
【０００５】
本発明は、上記課題を解決するためになされたもので、作業者の経験によらずに電話線の故障位置を推定することができ、故障位置推定に要する時間を短縮することができる故障位置推定装置、故障位置推定方法およびプログラムを提供することを目的とする。
【課題を解決するための手段】
【０００６】
本発明の故障位置推定装置は、設備データベースから回線情報を取得する回線情報取得手段と、前記設備データベースから線路情報を取得する線路情報取得手段と、前記線路情報からケーブルおよび接続端子函の接続情報を取得し、前記回線情報から各接続端子函での心線の使用状況を把握して、各接続端子函での心線の使用状況を示す回線状況把握表を作成する回線状況把握表作成手段と、前記回線状況把握表の情報を基に心線の使用状況毎の数と収容心線数とを接続端子函毎に集計し、この集計結果から各接続端子函のスコアを算出するスコア算出手段と、このスコア算出手段が算出したスコアを基に電話線の故障位置を推定する故障位置推定手段とを備えることを特徴とするものである。
また、本発明の故障位置推定装置の１構成例は、さらに、前記線路情報を基に、ケーブルおよび接続端子函の配置を示す線路図を作成する線路図作成手段を備えることを特徴とするものである。
【０００７】
また、本発明の故障位置推定方法は、設備データベースから回線情報を取得する回線情報取得ステップと、前記設備データベースから線路情報を取得する線路情報取得ステップと、前記線路情報からケーブルおよび接続端子函の接続情報を取得し、前記回線情報から各接続端子函での心線の使用状況を把握して、各接続端子函での心線の使用状況を示す回線状況把握表を作成する回線状況把握表作成ステップと、前記回線状況把握表の情報を基に心線の使用状況毎の数と収容心線数とを接続端子函毎に集計し、この集計結果から各接続端子函のスコアを算出するスコア算出ステップと、このスコア算出ステップで算出したスコアを基に電話線の故障位置を推定する故障位置推定ステップとを備えることを特徴とするものである。
【０００８】
また、本発明の故障位置推定プログラムは、設備データベースから回線情報を取得する回線情報取得ステップと、前記設備データベースから線路情報を取得する線路情報取得ステップと、前記線路情報からケーブルおよび接続端子函の接続情報を取得し、前記回線情報から各接続端子函での心線の使用状況を把握して、各接続端子函での心線の使用状況を示す回線状況把握表を作成する回線状況把握表作成ステップと、前記回線状況把握表の情報を基に心線の使用状況毎の数と収容心線数とを接続端子函毎に集計し、この集計結果から各接続端子函のスコアを算出するスコア算出ステップと、このスコア算出ステップで算出したスコアを基に電話線の故障位置を推定する故障位置推定ステップとを、コンピュータに実行させることを特徴とするものである。
【発明の効果】
【０００９】
本発明によれば、局内（机上）であらかじめ故障位置を推定することができ、所外での作業時間の短縮に繋がる。また、従来の経験者の知識により行われてきた故障位置推定の作業を本発明を用いて機械的に行うことで、スキルフリーな作業となり、リソース不足にも対応することができる。
【図面の簡単な説明】
【００１０】
【図１】本発明の実施の形態で用いる情報を説明する図である。
【図２】回線情報のうち使用（ＡＡ，Ａ）、保留（ＨＨ，Ｈ）、予約（ＹＹ，Ｙ）、未使用（Ｎ）について説明する図である。
【図３】回線情報のうち上部不良（ＦＦ，Ｆ）、不良（ＢＢ，Ｂ）について説明する図である。
【図４】本発明の実施の形態に係る故障位置推定装置の構成を示すブロック図である。
【図５】本発明の実施の形態に係る故障位置推定装置の動作を示すフローチャートである。
【図６】線路図の１例を示す図である。
【図７】分岐点でのマルチ接続の形態を説明する図である。
【発明を実施するための形態】
【００１１】
以下、本発明の実施の形態について図面を参照して説明する。本実施の形態では、図１に示すように、設備データベース（以下、設備ＤＢ）１から回線情報２を取得するので、まず回線情報２について説明する。回線情報２としては、電話線の使用（ＡＡ，Ａ）、上部不良（ＦＦ，Ｆ）、不良（ＢＢ，Ｂ）、保留（ＨＨ，Ｈ）、予約（ＹＹ，Ｙ）、未使用（Ｎ）を示す情報がある。
【００１２】
図２は回線情報２のうち使用（ＡＡ，Ａ）、保留（ＨＨ，Ｈ）、予約（ＹＹ，Ｙ）、未使用（Ｎ）について説明する図であり、図２（Ａ）は回線の使用状況を示す図、図２（Ｂ）はこの回線の使用状況に応じた回線情報を示す図である。図２（Ａ）の例では、局舎４から下部に向かって２本の心線＃１，＃２が設置され、接続端子函Ａ２から引き込みを行っている加入者宅５において心線＃２が使用中、保留または予約状態である場合を示している。
【００１３】
使用（ＡＡ）は、当該箇所でお客様が電話線を使用中であることを示す。図２（Ａ）のように加入者宅５において心線＃２を使用中の場合、図２（Ｂ）に示すように接続端子函Ａ２の位置における心線＃２の回線情報がＡＡとなる。使用（Ａ）は、当該箇所より下部でお客様が電話線を使用中（線上にＡＡあり）であることを示す。図２（Ａ）のように加入者宅５において心線＃２を使用中の場合、接続端子函Ａ１の位置における心線＃２の回線情報がＡとなる。
【００１４】
保留（ＨＨ）は、当該箇所で電話線が保留状態（過去に使用されていたが現在使用者がいない線、すぐに使える状態）であることを示す。図２（Ａ）のように加入者宅５において保留中の場合、図２（Ｂ）に示すように接続端子函Ａ２の位置における心線＃２の回線情報がＨＨとなる。保留（Ｈ）は、当該箇所より下部で電話線が保留中（線上にＨＨあり）であることを示す。図２（Ａ）のように加入者宅５において保留中の場合、接続端子函Ａ１の位置における心線＃２の回線情報がＨとなる。
【００１５】
予約（ＹＹ）は、当該箇所で電話線が予約状態（新規使用のために用意されている線、すぐに使える状態）であることを示す。図２（Ａ）のように加入者宅５において予約状態の場合、図２（Ｂ）に示すように接続端子函Ａ２の位置における心線＃２の回線情報がＹＹとなる。予約（Ｙ）は、当該箇所より下部で電話線が予約中（線上にＹＹあり）であることを示す。図２（Ａ）のように加入者宅５において予約状態の場合、接続端子函Ａ１の位置における心線＃２の回線情報がＹとなる。
【００１６】
未使用（Ｎ）は、電話線が未使用状態（使用されていない、もしくは上部で切り離されて通電していない状態）であることを示す。図２（Ａ）のように心線＃１が使用されておらず、加入者宅５において心線＃２が使用中、保留または予約状態である場合、図２（Ｂ）に示すように接続端子函Ａ１〜Ａ３の位置における心線＃１の回線情報および接続端子函Ａ３の位置における心線＃２の回線情報がＮとなる。
【００１７】
図３は回線情報２のうち上部不良（ＦＦ，Ｆ）、不良（ＢＢ，Ｂ）について説明する図であり、図３（Ａ）は回線の使用状況を示す図、図３（Ｂ）はこの回線の使用状況に応じた回線情報を示す図である。図３（Ａ）の例では、局舎４から下部に向かって２本の心線＃３，＃４が設置され、接続端子函Ａ５において心線＃１に不良が有り、接続端子函Ａ５から引き込みを行っている加入者宅５において心線＃２に不良が有る場合を示している。
【００１８】
上部不良（ＦＦ）は、当該箇所で上部不良（下部切り離し有りの不良）であることを示す。なお、上部不良とは、故障箇所が局舎と不良申告箇所の間に存在すると読みとれるものを言う。ある心線の使用者から不良申告があった場合が上部不良に当たる。心線を使用するということは、使用している箇所より下部を切り離していることになる。図３（Ａ）のように加入者宅５において心線＃２を使用していて不良が有る場合、図３（Ｂ）に示すように接続端子函Ａ５の位置における心線＃２の回線情報がＦＦとなる。上部不良（Ｆ）は、当該箇所より下部で上部不良（線上にＦＦあり）であることを示す。図３（Ａ）のように加入者宅５において心線＃２を使用していて不良が有る場合、接続端子函Ａ４の位置における心線＃２の回線情報がＦとなる。
【００１９】
不良（ＢＢ）は、当該箇所で不良（下部切り離しなしの不良）であることを示す。なお、不良とは、不良が発覚した時点で下部が切り離されておらず（局舎からのテストや点検時に発見する場合）、不良申告箇所の上部（通電している状態である部分）、下部（切り離され、通電していない状態である部分）のどちらにも故障が存在しうる場合を言う。図３（Ａ）のように接続端子函Ａ５において心線＃１に不良が有る場合、図３（Ｂ）に示すように接続端子函Ａ５の位置における心線＃１の回線情報がＢＢとなる。不良（Ｂ）は、当該電話線のどこかで不良（線上にＢＢあり）であることを示す。図３（Ａ）のように接続端子函Ａ５において心線＃１に不良が有る場合、接続端子函Ａ４，Ａ６の位置における心線＃１の回線情報がＢとなる。
【００２０】
また、本実施の形態では、図１に示すように、設備ＤＢ１から線路情報３を取得する。線路情報３としては、ケーブル（心線）および接続端子函の接続情報、ケーブル付属品情報、ケーブル情報、分岐情報、位置情報などがある。
【００２１】
次に、本実施の形態の故障位置推定装置の構成および動作について説明する。図４は本実施の形態の故障位置推定装置の構成を示すブロック図、図５は故障位置推定装置の動作を示すフローチャートである。
故障位置推定装置は、回線情報取得部６と、線路情報取得部７と、線路図作成部８と、回線状況把握表作成部９と、スコア算出部１０と、故障位置推定部１１と、推定結果出力部１２とを備えている。
【００２２】
回線情報取得部６は、設備ＤＢ１から回線情報を取得する（図５ステップＳ１）。線路情報取得部７は、設備ＤＢ１から線路情報を取得する（ステップＳ２）。
線路図作成部８は、線路情報取得部７が取得した線路情報を基に線路図を作成する（ステップＳ３）。図６に線路図の１例を示す。
【００２３】
図６において、Ａ１〜Ａ５，Ｂ１〜Ｂ５，Ｃ１，Ｃ２，Ｄ３，Ｅ１は接続端子函、１３はき線点（配線点）、１４はケーブルである。図６の例では、全収容心線（回線）数を１００本としている。接続端子函Ａ１〜Ａ５の収容心線数は心線＃１〜＃１００の１００本、接続端子函Ｂ１〜Ｂ５の収容心線数は心線＃５１〜＃１００の５０本、接続端子函Ｃ１，Ｃ２の収容心線数は心線＃５１〜＃８０の３０本、接続端子函Ｄ３の収容心線数は心線＃５１〜＃７０の２０本、接続端子函Ｅ１の収容心線数は心線＃７１〜＃８０の１０本とする。
【００２４】
この場合、分岐点である接続端子函Ａ３では、心線＃５１〜＃１００がマルチ接続されており、接続端子函Ｂ３では、心線＃５１〜＃８０がマルチ接続されており、接続端子函Ｃ２では、心線＃７１〜＃８０がマルチ接続されていることになる。また、加入者宅５には、接続端子函Ｂ１から心線＃５１が引き込まれているとする。
【００２５】
次に、回線状況把握表作成部９は、回線情報取得部６が取得した回線情報と線路情報取得部７が取得した線路情報を基に回線状況把握表を作成する（図５ステップＳ４）。具体的には、回線状況把握表作成部９は、線路情報取得部７が取得した線路情報からケーブルおよび接続端子函の接続情報を取得し、接続端子函の数や位置を把握すると共に、分岐点である接続端子函でのマルチ接続の情報を把握する（各接続端子函における収容心線数・心線番号を把握する）。図７は接続端子函Ｂ３でのマルチ接続の形態を示す図である。上記のとおり、接続端子函Ｂ３では、心線＃５１〜＃８０がマルチ接続されている。
【００２６】
続いて、回線状況把握表作成部９は、把握した情報を基に回線状況把握表の枠組み（接続端子函名、収容心線番号情報）を作成する。表１、表２に、図６に示した線路図に対応する回線状況把握表の例を示す。
【００２７】
【表１】
2013251832.tif 000003
【００２８】
【表２】
2013251832.tif 000004
【００２９】
さらに、回線状況把握表作成部９は、回線情報取得部６が取得した回線情報から各接続端子函での心線使用状況（使用（ＡＡ，Ａ）、上部不良（ＦＦ，Ｆ）、不良（ＢＢ，Ｂ）、保留（ＨＨ，Ｈ）、予約（ＹＹ，Ｙ）、未使用（Ｎ））を把握し、把握した心線使用状況の情報を回線状況把握表に入力して、表１、表２に示した回線状況把握表を完成する。
【００３０】
図６の例の場合、接続端子函Ｂ１から引き込み線を経由し、加入者宅５で心線＃５１が使用されているとすると、回線状況把握表作成部９は、表２に示した回線状況把握表の接続端子函Ｂ１の＃５１の欄に「ＡＡ」と入力する。同様に、加入者宅５において心線＃５１が不良であれば「ＦＦ」と入力し、心線＃５１が保留中であれば「ＨＨ」と入力し、心線＃５１が未使用であれば「Ｎ」と入力する。心線＃５１は接続端子函Ａｘ，Ｂｘ，Ｃｘ，Ｄｘ（ｘは数字）に存在する。今、心線＃５１は接続端子函Ｂ１で使用されているため、接続端子函Ｂ１より上部の接続端子函Ａ１，Ａ２，Ａ３，Ａ４，Ａ５での心線＃５１の状況は使用（Ａ）であり、接続端子函Ｂ１より下部の接続端子函での心線＃５１の状況は未使用（Ｎ）である。したがって、回線状況把握表作成部９は、回線状況把握表の接続端子函Ａ１，Ａ２，Ａ３，Ａ４，Ａ５の＃５１の欄に「Ａ」と入力し、接続端子函Ａ１，Ａ２，Ａ３，Ａ４，Ａ５，Ｂ１以外の接続端子函の＃５１の欄に「Ｎ」と入力する。このような心線使用状況の情報入力を他の心線についても同様に行えばよい。以上で、回線状況把握表作成部９の処理が終了する。
【００３１】
次に、スコア算出部１０は、回線状況把握表作成部９が作成した回線状況把握表の情報を基に各接続端子函におけるスコアを算出する（図５ステップＳ５）。具体的には、スコア算出部１０は、各接続端子函における使用（ＡＡ，Ａ）、上部不良（ＦＦ，Ｆ）、不良（ＢＢ，Ｂ）、保留（ＨＨ，Ｈ）、予約（ＹＹ，Ｙ）、および未使用（Ｎ）の数と、収容心線数Ｓとを接続端子函毎に集計し、表３に示すようなスコア表を作成する。
【００３２】
【表３】
2013251832.tif 000005
【００３３】
そして、スコア算出部１０は、作成したスコア表の情報を用いて次式の故障箇所推定式により各接続端子函におけるスコアＳＣＯＲＥを算出する。
【００３４】
【数１】
2013251832.tif 000006
【００３５】
なお、式（１）におけるＡＡ，Ａ，ＦＦ，Ｆ，ＨＨ，Ｈ，Ｎは、それぞれ使用（ＡＡ）、使用（Ａ）、上部不良（ＦＦ）、上部不良（Ｆ）、保留（ＨＨ）、保留（Ｈ）、未使用（Ｎ）の数を示す。ａ１，ａ２，ｈ１，ｈ２，ｆ１，ｆ２，ｎ，ｓは予め定められた係数である。係数ａ１，ａ２，ｈ１，ｈ２，ｆ１，ｆ２，ｎ，ｓは、過去の実績データに基づき経験的に、ａ１＝５、ａ２＝３、ｈ１＝３、ｈ２＝１、ｆ１＝３、ｆ２＝１、ｎ＝１、ｓ＝１と設定しておく。
【００３６】
実際に故障している場所と不良の申告がなされた場所との間には、少なからず不一致が存在する。しかし、同一線上に存在するその他の情報と、物理的な回線の繋がりを利用することで、論理的に故障箇所を推定することができる。例えば、ある接続端子函Ａ１において、「使用」されている心線が存在するということは、接続端子函Ａ１までの区間でその心線に不良が生じていないことと同意である。一方、「不良」の心線が存在すれば、接続端子函Ａ１までの区間のどこかでその心線に不良が存在していることを表す。「予約」、「保留」についても「使用」と同じことが言える。また、「未使用」であるということは、少なくとも「不良」の情報は与えない。
【００３７】
以上のことから、使用（ＡＡ）、使用（Ａ）、上部不良（ＦＦ）、上部不良（Ｆ）、保留（ＨＨ）、保留（Ｈ）および未使用（Ｎ）の各個数と収容心線数Ｓとを分母に代入し、上部不良（ＦＦ）および上部不良（Ｆ）の各個数を分子に代入する式（１）のような故障箇所推定式を用いることとした。この故障箇所推定式における各係数の値は、過去の故障修理データ、すなわち、使用状況および不良申告状況と実際に故障が起きていた場所（修理した場所）のデータを用いて、統計的処理（各係数を変動させ、実際の修理箇所を示すように設定する処理）を行うことにより、決定したものである。
以上で、スコア算出部１０の処理が終了する。
【００３８】
故障位置推定部１１は、スコア算出部１０の算出結果から電話線の故障位置を推定する（図５ステップＳ６）。具体的には、故障位置推定部１１は、高スコアな接続端子函ほど、故障が存在する可能性が高いと推定する。上記の表３には、スコア算出部１０が算出したスコアＳＣＯＲＥを記載してある。表３によると、接続端子函Ｅ１，Ａ３，Ａ４の順に故障存在の可能性が高いと読みとれる。故障位置推定部１１は、スコアＳＣＯＲＥが所定の閾値（表３の例では５）以上である接続端子函を故障位置とすればよい。
【００３９】
推定結果出力部１２は、故障位置推定部１１が推定した故障位置と線路図作成部８が作成した線路図とを表示する（図５ステップＳ７）。
以上で、故障位置推定装置の動作が終了する。
【００４０】
本実施の形態では、局内（机上）であらかじめ故障箇所を推定することができ、所外での作業時間の短縮に繋がる。また、従来の経験者の知識により行われてきた故障位置推定の作業を本実施の形態の故障位置推定装置を用いて機械的に行うことで、スキルフリーな作業となり、リソース不足にも対応することができる。
【００４１】
なお、本実施の形態の故障位置推定装置は、ＣＰＵ、記憶装置およびインタフェースを備えたコンピュータとこれらのハードウェア資源を制御するプログラムによって実現することができる。このようなコンピュータにおいて、本発明の故障位置推定方法を実現する故障位置推定プログラムは、フレキシブルディスク、ＣＤ−ＲＯＭ、ＤＶＤ−ＲＯＭ、メモリカードなどの記録媒体に記録された状態で提供される。ＣＰＵは、記録媒体から読み込んだプログラムを記憶装置に書き込み、このプログラムに従って本実施の形態で説明した処理を実行する。また、故障位置推定プログラムをネットワークを通して提供することも可能である。
【産業上の利用可能性】
【００４２】
本発明は、電話線における故障位置を推定する技術に適用することができる。
【符号の説明】
【００４３】
１…設備データベース、２…回線情報、３…線路情報、６…回線情報取得部、７…線路情報取得部、８…線路図作成部、９…回線状況把握表作成部、１０…スコア算出部、１１…故障位置推定部、１２…推定結果出力部。
【図１】
2013251832.tif 000007
【図２】
2013251832.tif 000008
【図３】
2013251832.tif 000009
【図４】
2013251832.tif 000010
【図５】
2013251832.tif 000011
【図６】
2013251832.tif 000012
【図７】
2013251832.tif 000013